【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
生物をモニタリングするシステムであって：
音を登録するためのマイクロフォンと、ＩＰコネクションを介して通信するように構成される通信ユニットとを有するモニタリング・デバイス；
前記モニタリング・デバイスの前記マイクロフォンにより登録され且つ前記ＩＰコネクションにより伝達される音を表現するための第１ソフトウェア・プログラムを備えているユーザー・デバイス；
別のＩＰコネクションにより前記ユーザー・デバイスと通信するように構成されるサーバー；
を有し、前記サーバーは、前記モニタリング・デバイスと前記ユーザー・デバイスとの間の前記ＩＰコネクションを検査するためのプロトコルを、前記ユーザー・デバイスにおける前記第１ソフトウェア・プログラムにより、周期的に開始するための第２ソフトウェア・プログラムを備えている、システム。
【請求項２】
前記第２ソフトウェア・プログラムは、前記第１ソフトウェア・プログラムのそれぞれの起動の際に、テスト・プロトコルを実行する命令を、前記ユーザー・デバイスへ送信する、請求項１に記載のシステム。
【請求項３】
前記プロトコルは：
前記ユーザー・デバイスが、前記ＩＰコネクションを介して、第１テスト信号を前記モニタリング・デバイスへ送信すること；
前記モニタリング・デバイスが、前記第１テスト信号に応じて、第２テスト信号を前記ユーザー・デバイスへ送信すること；及び
前記ユーザー・デバイスが、前記第２テスト信号に応じて、肯定的なステータスの指示を提供し、及び、所定の期間内に前記第２テスト信号が欠如していることに応じて、否定的なステータスの指示を提供すること；
を含む、請求項１又は２に記載のシステム。
【請求項４】
前記プロトコルは：
前記ユーザー・デバイスが、前記ＩＰコネクションを介して、第３テスト信号を前記モニタリング・デバイスへ送信すること；
前記モニタリング・デバイスが、前記第３テスト信号に応じて、テスト・サウンドを生成すること；
前記モニタリング・デバイスが、前記テスト・サウンドをマイクロフォンにより登録したことに応じて、第４テスト信号を前記ユーザー・デバイスへ送信すること；及び
前記ユーザー・デバイスが、前記第４テスト信号に応じて、肯定的なステータスの指示を提供し、及び、所定の期間内に前記第４テスト信号が欠如していることに応じて、否定的なステータスの指示を提供すること；
を含む、請求項１、２又は３に記載のシステム。
【請求項５】
前記テスト・サウンドは、所定の強度、持続時間及び/又は周波数分布を有する、請求項４に記載のシステム。
【請求項６】
前記テスト・サウンドは、適切な音が前記ユーザー・デバイスにより受信されることを保証するために、前記ユーザー・デバイスにおいてデコードされるパターンを有する、請求項４又は５に記載のシステム。
【請求項７】
前記プロトコルは：
前記ユーザー・デバイスが、前記ＩＰコネクションを介して、第３テスト信号を前記モニタリング・デバイスへ送信すること；
前記モニタリング・デバイスが、前記第３テスト信号に応じて、音を生成せずに検査を実行すること；
前記モニタリング・デバイスが、前記検査が成功した場合に、第４テスト信号を前記ユーザー・デバイスへ送信すること；及び
前記ユーザー・デバイスが、前記第４テスト信号に応じて、肯定的なステータスの指示を提供し、及び、所定の期間内に前記第４テスト信号が欠如していることに応じて、否定的なステータスの指示を提供すること；
を含む請求項１ないし６のうち何れか一項に記載のシステム。
【請求項８】
前記プロトコルが：
前記ユーザー・デバイスが、前記ＩＰコネクションを介して、第３テスト信号を前記モニタリング・デバイスへ送信すること；
前記モニタリング・デバイスが、前記第３テスト信号に応じて、サウンド検出閾値を一時的に下げること；
前記モニタリング・デバイスが、マイクロフォンにより音を検出したことに応じて、第４テスト信号を前記ユーザー・デバイスへ送信すること；及び
前記ユーザー・デバイスが、前記第４テスト信号に応じて、肯定的なステータスの指示を提供し、及び、所定の期間内に前記第４テスト信号が欠如していることに応じて、否定的なステータスの指示を提供すること；
を含む請求項１ないし７のうちの何れか一項に記載のシステム。
【請求項９】
前記モニタリング・デバイスは、送信されるべき音が無い場合に、前記モニタリング・デバイスと前記ユーザー・デバイスとの間の前記ＩＰコネクションを遮断するように構成される、請求項１ないし８のうちの何れか一項に記載のシステム。
【請求項１０】
請求項１ないし９のうち何れか一項に記載のシステムにおいて使用するモニタリング・デバイスであって、
音を登録するためのマイクロフォンと、ＩＰコネクションを介して通信するように構成される通信ユニットとを有し、
第１テスト信号に応じて、第２テスト信号を前記ＩＰコネクションを介して送信し、
第３テスト信号に応じて、テスト・サウンドを生成し、
前記テスト・サウンドをマイクロフォンにより登録したことに応じて、第４テスト信号を前記ＩＰコネクションを介して送信するように構成される、モニタリング・デバイス。
【請求項１１】
第３テスト信号に応じて、サウンド検出閾値を一時的に下げ、マイクロフォンにより音を検出したことに応じて、第４テスト信号を前記ＩＰコネクションを介して送信する、請求項１０に記載のモニタリング・デバイス。
【請求項１２】
前記ＩＰコネクションを介して受信される音を表現するための拡声スピーカー、及び／又は、前記ＩＰコネクションを介して画像を送信するためのカメラを更に有する請求項１０又は１１に記載のモニタリング・デバイス。
【請求項１３】
生物をモニタリングする方法であって：
モニタリング・デバイスが、音を登録し、登録した音をＩＰコネクションを介して伝達するステップ；
スマートフォンのようなユーザー・デバイスが、前記モニタリング・デバイスにより登録され且つ前記ＩＰコネクションにより伝達される音を表現するステップ；及び
サーバーが、前記ユーザー・デバイスにより、前記モニタリング・デバイスと前記ユーザー・デバイスとの間で前記ＩＰコネクションを検査するためのプロトコルを周期的に開始するステップ；
を有する方法。
【請求項１４】
前記ユーザー・デバイスが、前記ＩＰコネクションを介して、第１テスト信号を前記モニタリング・デバイスへ送信するステップ；
前記モニタリング・デバイスが、前記第１テスト信号に応じて、第２テスト信号を前記ユーザー・デバイスへ送信するステップ；及び
前記ユーザー・デバイスが、前記第２テスト信号に応じて、肯定的なステータスの指示を提供し、及び、所定の期間内に前記第２テスト信号が欠如していることに応じて、否定的なステータスの指示を提供するステップ；
を有する請求項１３に記載の方法。
【請求項１５】
生物をモニタリングするためのモニタリング・デバイスとユーザー・デバイスとの間のインターネット・タイプ・コネクションにおいて、テスト・プロトコルを遠隔的に開始するための方法であって、サーバーが別のコネクションにより前記ユーザー・デバイスに接続され、前記サーバーは、ランダムな又は規則的な時間インターバルで、開始メッセージを前記ユーザー・デバイスへ送信する、方法。
【請求項１６】
請求項１３ないし１５のうちの何れか一項に記載の方法を実行するためのソフトウェア・プログラム。